(57)【要約】      （修正有）【課題】便座がカバー部材に対して回動する際に、便座とカバー部材との間の異音を低減することができる便座装置を提供する。【解決手段】便器に取り付けられる便座装置であって、便器の後部に配置される機能部材を覆うカバー部材４１と、カバー部材４１に回動可能に取り付けられる便座又は便蓋と、便座又は便蓋とカバー部材４１との間に介在するスペーサ部材５，６と、を備える。また、スペーサ部材５，６は、カバー部材４１に取り付けられる。【選択図】図２
2017042448.tif 000002
【特許請求の範囲】
【請求項１】
便器に取り付けられる便座装置であって、
前記便器の後部に配置される機能部材を覆うカバー部材と、
前記カバー部材に回動可能に取り付けられる便座又は便蓋と、
前記便座又は前記便蓋と前記カバー部材との間に介在するスペーサ部材と、を備える便座装置。
【請求項２】
前記スペーサ部材は、前記カバー部材に取り付けられる請求項１に記載の便座装置。
【請求項３】
前記機能部材は、前記便座又は前記便蓋に連結される回動軸部材を有し、
前記カバー部材は、前記回動軸部材が貫通する貫通穴を有し、
前記スペーサ部材は、前記カバー部材の前記貫通穴の周縁に取り付けられる請求項２に記載の便座装置。
【請求項４】
前記スペーサ部材は、弾性変形することで、前記カバー部材の前記貫通穴の周縁に係合可能な係合部を有する請求項３に記載の便座装置。
【発明の詳細な説明】
【技術分野】
【０００１】
本発明は、便座装置に関する。
【背景技術】
【０００２】
従来、機能部材を覆うカバー部材と、カバー部材に回動可能に取り付けられる便座と、を備える便座装置が知られている（例えば、特許文献１参照）。
【先行技術文献】
【特許文献】
【０００３】
【特許文献１】特開２００７−３１９４１０号公報
【発明の概要】
【発明が解決しようとする課題】
【０００４】
特許文献１に記載の便座装置においては、便座がカバー部材に対して回動する際に、便座がカバー部材に擦れて、異音が発生することがある。
【０００５】
本発明は、便座がカバー部材に対して回動する際に、便座とカバー部材との間の異音を低減することができる便座装置を提供することを目的とする。
【課題を解決するための手段】
【０００６】
本発明は、便器に取り付けられる便座装置であって、前記便器の後部に配置される機能部材を覆うカバー部材と、前記カバー部材に回動可能に取り付けられる便座又は便蓋と、前記便座又は前記便蓋と前記カバー部材との間に介在するスペーサ部材と、を備える便座装置に関する。
【０００７】
また、前記スペーサ部材は、前記カバー部材に取り付けられることが好ましい。
【０００８】
また、前記機能部材は、前記便座又は前記便蓋に連結される回動軸部材を有し、前記カバー部材は、前記回動軸部材が貫通する貫通穴を有し、前記スペーサ部材は、前記カバー部材の前記貫通穴の周縁に取り付けられることが好ましい。
【０００９】
また、前記スペーサ部材は、弾性変形することで、前記カバー部材の前記貫通穴の周縁に係合可能な係合部を有することが好ましい。
【発明の効果】
【００１０】
本発明によれば、便座がカバー部材に対して回動する際に、便座とカバー部材との間の異音を低減することができる便座装置を提供することができる。
【図面の簡単な説明】
【００１１】
【図１】本発明の一実施形態に係る便座装置１００を示す斜視図である。
【図２】本発明の一実施形態に係る便座装置１００の便座側スペーサ部材５及び便蓋側スペーサ部材６の取り付け状態を示す斜視図である。
【図３】便座側スペーサ部材５及び便蓋側スペーサ部材６の斜視図である。
【図４】便座装置１００のカバー部材４１に形成された第１貫通穴４１１及び第２貫通穴４１２を示す斜視図である。
【発明を実施するための形態】
【００１２】
以下、本発明の便座装置１００の好ましい一実施形態について、図面を参照しながら説明する。なお、本実施形態においては、便座装置１００を正面から視た場合（便座装置１００に対面した場合）における左右の向きを左右方向といい、便座装置１００を正面から視た場合（便座装置１００に対面した場合）における前後の向きを前後方向という。また、本実施形態においては、便座１について、便器３の上部に水平に配置された場合において、一対の便座ヒンジ部１２側を後方ともいい、一対の便座ヒンジ部１２と反対側を前方ともいう。
【００１３】
本実施形態の便座装置１００は、図１〜図３に示すように、便座１と、便蓋２と、機能部４と、スペーサ部材としての便座側スペーサ部材５と、スペーサ部材としての便蓋側スペーサ部材６と、を備える。本実施形態の便座装置１００は、便器３に取り付けられる。便座１及び便蓋２は、便器３の上部に、便器３に対して開閉可能に取り付けられる。本実施形態においては、便座１は、第１電動モータ４２の第１回動軸部材４２１（回動軸部材）に取り付けられ、第１電動モータ４２を駆動することで回動可能に構成される。便蓋２は、第２電動モータ４３の第２回動軸部材４３１（回動軸部材）に取り付けられ、第２電動モータ４３を駆動することで回動可能に構成される。
【００１４】
便座１は、便器３の上部に配置される。便座１は、図１に示すように、便座本体１１と、一対の便座ヒンジ部１２と、を備える。
便座本体１１は、中央部に開口１１１が形成された長円形状に形成される。便座本体１１の後方側の両端部からは、一対の便座ヒンジ部１２が後方に延びている。
【００１５】
一対の便座ヒンジ部１２は、図１に示すように、便座１の後方の端部側に配置され、便座本体１１の後方側の両端部から、便座１の後方に延びるように形成される。一対の便座ヒンジ部１２は、カバー部材４１に回動可能に取り付けられる。本実施形態においては、一対の便座ヒンジ部１２は、便座装置１００の左方側に配置される駆動側便座ヒンジ部１２１と、便座装置１００の右方側に配置される支持側便座ヒンジ部１２２と、からなる。
【００１６】
便蓋２は、便座１の上部に配置される。便蓋２は、図１に示すように、便蓋本体２１と、一対の便蓋ヒンジ部２２と、を備える。本実施形態においては、一対の便蓋ヒンジ部２２は、便座装置１００の左方側に配置される駆動側便蓋ヒンジ部２２１と、便座装置１００の右方側に配置される支持側便蓋ヒンジ部２２２と、からなる。
【００１７】
機能部４は、便器３の後部の上部に配置される。機能部４は、洗浄タンク（図示せず）やホース（図示せず）や第１電動モータ４２及び第２電動モータ４３等の機能部材と、機能部材を覆うカバー部材４１と、を有する。
【００１８】
カバー部材４１には、便座１及び便蓋２が回動可能に取り付けられる。
カバー部材４１は、図４に示すように、左側の側面において、第１回動軸部材４２１が貫通する第１貫通穴４１１（貫通穴）と、第２回動軸部材４３１が貫通する第２貫通穴４１２（貫通穴）と、を有する。第１貫通穴４１１及び第２貫通穴４１２は、円形状に形成され、カバー部材４１の左側の側部の壁部を貫通する。
【００１９】
第１電動モータ４２の第１回動軸部材４２１は、図２に示すように、カバー部材４１の左方の前方側において、第１貫通穴４１１を介して、左方に向けて突出して配置される。第１電動モータ４２の第１回動軸部材４２１は、駆動側便座ヒンジ部１２１の内側に形成される便座駆動側挿通穴（図示せず）に挿通されて、便座１に接続される。
ここで、便座１は、便座１の右方において、支持側便座ヒンジ部１２２に挿通される筒状体（図示せず）等を介して、カバー部材４１に支持される。これにより、第１電動モータ４２の第１回動軸部材４２１を回動駆動することで、便座１は、機能部４のカバー部材４１に対して開閉可能である。
【００２０】
第２電動モータ４３の第２回動軸部材４３１は、図２に示すように、カバー部材４１の左方の後方側において、第２貫通穴４１２を介して、左方に向けて突出して配置される。第２電動モータ４３の第２回動軸部材４３１は、駆動側便蓋ヒンジ部２２１の内側に形成される便蓋駆動側挿通穴（図示せず）に挿通されて、便蓋２に接続される。
ここで、便蓋２は、便蓋２の右方において、支持側便蓋ヒンジ部２２２に挿通される筒状体（図示せず）等を介して、カバー部材４１に支持される。これにより、第２電動モータ４３の第２回動軸部材４３１を回動駆動することで、便蓋２は、機能部４のカバー部材４１に対して開閉可能である。
【００２１】
便座側スペーサ部材５は、図２に示すように、便座１の駆動側便座ヒンジ部１２１とカバー部材４１との間に介在して配置される。便座側スペーサ部材５は、カバー部材４１の第１貫通穴４１１の周縁において、カバー部材４１に取り付けられる。便座側スペーサ部材５は、摺動抵抗が低い材料により形成される。例えば、本実施形態においては、便座側スペーサ部材５は、ポリエチレン樹脂などで形成される。
【００２２】
便座側スペーサ部材５は、図３に示すように、略円環状に形成される。便座側スペーサ部材５は、スペーサ本体７１と、一対の円弧状延出部７２と、一対の爪状延出部７３（係合部）と、を有する。
【００２３】
スペーサ本体７１は、板状に形成され、中央に開口７０が形成された円環状に形成される。開口７０の大きさは、第１電動モータ４２の第１回動軸部材４２１の径よりも大きな径で形成される。つまり、開口７０は、第１電動モータ４２の第１回動軸部材４２１が挿入された場合に、第１電動モータ４２の第１回動軸部材４２１が、スペーサ本体７１の内周縁に当接しない大きさに形成される。
【００２４】
スペーサ本体７１の一方の面７１１は、便座側スペーサ部材５がカバー部材４１に取り付けられた場合において、カバー部材４１の側面に対向する。スペーサ本体７１の他方の面７１２は、便座１とカバー部材４１との間に便座側スペーサ部材５が配置された場合に、便座１の駆動側便座ヒンジ部１２１の内面に対向する。
【００２５】
一対の円弧状延出部７２及び一対の爪状延出部７３は、スペーサ本体７１の一方の面７１１の内周縁から立設される。一対の円弧状延出部７２及び一対の爪状延出部７３は、円弧状に延びて形成される。円弧状延出部７２は、爪状延出部７３よりも円弧の長さが長く形成される。一対の円弧状延出部７２及び一対の爪状延出部７３は、円弧状延出部７２、爪状延出部７３、円弧状延出部７２、爪状延出部７３の順に、スペーサ本体７１の内周縁に沿って円環状に並んで配置される。一対の円弧状延出部７２及び一対の爪状延出部７３は、便座側スペーサ部材５がカバー部材４１に取り付けられた状態において、カバー部材４１の第１貫通穴４１１の周縁に沿うように並んで配置される。
【００２６】
一対の爪状延出部７３は、弾性変形可能に構成される。一対の爪状延出部７３は、弾性変形することで、カバー部材４１の第１貫通穴４１１の周縁に係合する。一対の爪状延出部７３の先端には、図３に示すように、爪部７３１が形成される。爪部７３１は、爪状延出部７３の先端において、外側に向けて突出する。一対の爪状延出部７３は、便座側スペーサ部材５がカバー部材４１に取り付けられた状態において、一対の爪部７３１が、カバー部材４１の第１貫通穴４１１の周縁に係合する。
【００２７】
便座側スペーサ部材５をカバー部材４１に取り付ける場合には、一対の爪状延出部７３の一対の爪部７３１を第１貫通穴４１１に挿通させるように、便座側スペーサ部材５を、カバー部材４１の側面の外側から、カバー部材４１に押し付ける。これにより、一対の爪状延出部７３は、第１貫通穴４１１の径方向に弾性変形して、第１貫通穴４１１に挿通される。一対の円弧状延出部７２及び一対の爪状延出部７３が第１貫通穴４１１に挿通された状態において、一対の爪状延出部７３が弾性復帰して、一対の爪部７３１は、第１貫通穴４１１の周縁部に係合する。
【００２８】
便蓋側スペーサ部材６は、図２に示すように、便蓋２の駆動側便蓋ヒンジ部２２１とカバー部材４１との間に介在して配置される。便蓋側スペーサ部材６は、カバー部材４１の第２貫通穴４１２の周縁において、カバー部材４１に取り付けられる。便蓋側スペーサ部材６は、摺動抵抗が低い材料により形成される。例えば、本実施形態においては、便座側スペーサ部材５は、ポリエチレン樹脂などで形成される。
【００２９】
便蓋側スペーサ部材６は、図３に示すように、略円環状に形成される。便蓋側スペーサ部材６は、スペーサ本体７１と、一対の円弧状延出部７２と、一対の爪状延出部７３と、を有する。
【００３０】
便蓋側スペーサ部材６の構成は、便座側スペーサ部材５が便座１とカバー部材４１との間に配置されるのに対して、便蓋２とカバー部材４１との間に配置される点以外においては、前述の便座側スペーサ部材５と同様の構成である。そのため、便蓋側スペーサ部材６の構成の説明は、前述の便座側スペーサ部材５の構成の説明を援用して、その説明を省略する。
【００３１】
以上のように構成される便座側スペーサ部材５は、便座１とカバー部材４１との間に介在して配置されるため、便座１とカバー部材４１との擦れを抑制することができる。
また、便蓋側スペーサ部材６は、便蓋２とカバー部材４１との間に介在して配置されるため、便蓋２とカバー部材４１との擦れを抑制することができる。
【００３２】
以上説明した本実施形態の便座装置１００によれば、以下のような効果を奏する。
【００３３】
本実施形態の便座装置１００は、便器３に取り付けられる便座装置１００であって、便器３の後部に配置される機能部材を覆うカバー部材４１と、カバー部材４１に回動可能に取り付けられる便座１又は便蓋２と、便座１又は便蓋２とカバー部材４１との間に介在する便座側スペーサ部材５又は便蓋側スペーサ部材６と、を備える。そのため、便座側スペーサ部材５又は便蓋側スペーサ部材６は、便座１又は便蓋２とカバー部材４１との間に介在して配置されるため、便座１又は便蓋２とカバー部材４１との擦れを抑制することができる。これにより、便座１又は便蓋２とカバー部材４１との擦れによる異音の発生を低減することができる。
【００３４】
また、本実施形態の便座装置１００においては、便座側スペーサ部材５又は便蓋側スペーサ部材６は、カバー部材４１に取り付けられる。そのため、便座側スペーサ部材５又は便蓋側スペーサ部材６をカバー部材４１に取り付けるだけの簡易な構成で、便座１又は便蓋２とカバー部材４１との擦れによる異音の発生を低減することができる。
【００３５】
また、本実施形態の便座装置１００においては、カバー部材４１は、第１回動軸部材４２１又は第２回動軸部材４３１が貫通する第１貫通穴４１１又は第２貫通穴４１２を有し、便座側スペーサ部材５又は便蓋側スペーサ部材６は、カバー部材４１の第１貫通穴４１１又は第２貫通穴４１２の周縁に取り付けられる。そのため、第１回動軸部材４２１又は第２回動軸部材４３１が回動して便座１又は便蓋２が回動する際において、便座１又は便蓋２とカバー部材４１との擦れによる異音の発生を低減することができる。
【００３６】
また、本実施形態の便座装置１００においては、便座側スペーサ部材５又は便蓋側スペーサ部材６は、弾性変形することで、カバー部材４１の第１貫通穴４１１又は第２貫通穴４１２の周縁に係合可能な爪状延出部７３を有する。そのため、爪状延出部７３を弾性変形させて、爪部７３１を、カバー部材４１の第１貫通穴４１１又は第２貫通穴４１２の周縁に係合させることができる。これにより、ネジで固定することなどが不要であるため、工具を使用せずに、簡単に、便座側スペーサ部材５及び便蓋側スペーサ部材６をカバー部材４１に取り付けることができる。
【００３７】
以上、本発明の便座の好ましい一実施形態について説明したが、本発明は、上述した実施形態に制限されるものではなく、適宜変更が可能である。
例えば、前記実施形態では、スペーサ部材を、便座１とカバー部材４１との間と、便蓋２とカバー部材４１との間との両方に設けたが、これに限定されない。例えば、スペーサ部材を、便座１とカバー部材４１との間又は便蓋２とカバー部材４１のいずれか一方に設けてもよい。
【００３８】
前記実施形態では、便座側スペーサ部材５又は便蓋側スペーサ部材６は、カバー部材４１に取り付けられるが、これに限定されない。便座側スペーサ部材５又は便蓋側スペーサ部材６は、便座１又は便蓋２に取り付けられてもよい。
【００３９】
前記実施形態においては、スペーサ部材を、便座１又は便蓋２の回動を駆動する駆動軸部材側に配置したが、これに限定されない。例えば、スペーサ部材を、便座１の回動を支持する支持側において、便座１とカバー部材４１との間に設けてもよいし、便蓋２の回動を支持する支持側において、便蓋２とカバー部材４１との間に設けてもよい。
【符号の説明】
【００４０】
１  便座
２  便蓋
３  便器
５  便座側スペーサ部材（スペーサ部材）
６  便蓋側スペーサ部材（スペーサ部材）
４１  カバー部材
７３  爪状延出部（係合部）
１００  便座装置
４１１  第１貫通穴（貫通穴）
４１２  第２貫通穴（貫通穴）
４２１  第１回動軸部材（回動軸部材）
４３１  第２回動軸部材（回動軸部材）
【図１】
2017042448.tif 000003
【図２】
2017042448.tif 000004
【図３】
2017042448.tif 000005
【図４】
2017042448.tif 000006